(57)【要約】【課題】出力が軽負荷のときでも高負荷のときでも、高効率で運転することができるインバーター装置及びそれを備えた空気調和機を得る。【解決手段】ＩＧＢＴ６ａ〜６ｆ、及びダイオード７ａ〜７ｆによって３相のインバーター回路である第１インバーター６を構成し、ＭＯＳＦＥＴ８ａ〜８ｆ、及びダイオード９ａ〜９ｆによって３相のインバーター回路である第２インバーター８を構成した。【選択図】図１
2011120330.tif 000002
【特許請求の範囲】
【請求項１】
交流電源から出力される交流電圧を直流電圧に整流する整流手段と、
該整流手段によって整流された直流電圧を平滑する平滑手段と、
スイッチング素子によって構成され、前記平滑手段によって平滑された直流電圧を高周波電圧に変換して、該高周波電圧をモーターに供給する第１インバーターと、
スイッチング素子によって構成され、前記第１インバーターに並列に接続され、前記平滑手段によって平滑された直流電圧を高周波電圧に変換して、該高周波電圧を前記モーターに供給する第２インバーターと、
前記スイッチング素子のオン／オフ動作をさせるためのＰＷＭ信号を生成する制御回路と、
を備え、
前記第１インバーターを構成する前記スイッチング素子、及び前記第２インバーターを構成する前記スイッチング素子は、前記モーターに流れる電流によってそれぞれの飽和電圧が異なり、
前記制御回路は、前記ＰＷＭ信号に基づいて前記スイッチング素子のオン／オフ動作させる駆動回路を有する
ことを特徴とするインバーター装置。
【請求項２】
前記駆動回路は、前記ＰＷＭ信号に基づいて、前記第１インバーターを構成する前記スイッチング素子と、前記第２インバーターを構成する前記スイッチング素子とを同期させてオン／オフ動作させる
ことを特徴とする請求項１記載のインバーター装置。
【請求項３】
前記モーターに流れるモーター電流を検出する電流検出手段と、
を備え、
前記駆動回路は、前記第１インバーターを構成する前記スイッチング素子をオン／オフ動作させる第１駆動回路、及び、前記第２インバーターを構成する前記スイッチング素子をオン／オフ動作させる第２駆動回路によって構成され、
前記第１インバーターを構成する前記スイッチング素子の飽和電圧は、前記モーター電流が所定電流よりも大きい場合、前記第２インバーターを構成する前記スイッチング素子の飽和電圧よりも小さく、
前記第２インバーターを構成する前記スイッチング素子の飽和電圧は、前記モーター電流が前記所定電流よりも小さい場合、前記第１インバーターを構成する前記スイッチング素子の飽和電圧よりも小さく、
前記制御手段は、
前記電流検出手段によって検出された前記モーター電流が前記所定電流より大きい場合は、前記第１駆動回路にのみ前記ＰＷＭ信号を送信し、
前記電流検出手段によって検出された前記モーター電流が前記所定電流より小さい場合は、前記第２駆動回路にのみ前記ＰＷＭ信号を送信する
ことを特徴とする請求項１記載のインバーター装置。
【請求項４】
前記モーターに流れるモーター電流を検出する電流検出手段と、
を備え、
前記駆動回路は、前記第１インバーターを構成する前記スイッチング素子をオン／オフ動作させる第１駆動回路、及び、前記第２インバーターを構成する前記スイッチング素子をオン／オフ動作させる第２駆動回路によって構成され、
前記第１インバーターを構成する前記スイッチング素子の飽和電圧は、前記モーター電流が所定電流よりも大きい場合、前記第２インバーターを構成する前記スイッチング素子の飽和電圧よりも小さく、
前記第２インバーターを構成する前記スイッチング素子の飽和電圧は、前記モーター電流が前記所定電流よりも小さい場合、前記第１インバーターを構成する前記スイッチング素子の飽和電圧よりも小さく、
前記制御手段は、前記スイッチング素子のオン／オフ動作をさせるための前記ＰＷＭ信号を生成する演算部と、該演算部から前記ＰＷＭ信号を受信し、前記第１駆動回路又は前記第２駆動回路に該ＰＷＭ信号を送信する信号切替手段と、を有し、
前記演算部は、
前記電流検出手段によって検出された前記モーター電流が前記所定電流より大きい場合は、前記信号切替手段に対して前記第１駆動回路にのみ前記ＰＷＭ信号を送信するように指令し、
前記電流検出手段によって検出された前記モーター電流が前記所定電流より小さい場合は、前記信号切替手段に対して前記第２駆動回路にのみ前記ＰＷＭ信号を送信するように指令し、
前記信号切替手段は、前記演算部からの前記指令に基づいて、前記ＰＷＭ信号を前記第１駆動回路又は前記第２駆動回路に送信する
ことを特徴とする請求項１記載のインバーター装置。
【請求項５】
前記第１インバーターを構成する前記スイッチング素子、前記第２インバーターを構成する前記スイッチング素子、及びこれらを駆動する前記駆動回路が１つのパワーモジュール内に収められて構成され、
該パワーモジュール内において、前記第１インバーターを構成する前記スイッチング素子、及び前記第２インバーターを構成する前記スイッチング素子はそれぞれ並列に接続されている
ことを特徴とする請求項２記載のインバーター装置。
【請求項６】
前記第１インバーターを構成する前記スイッチング素子、前記第２インバーターを構成する前記スイッチング素子、前記第１駆動回路、前記第２駆動回路、及び前記信号切替手段が１つのパワーモジュール内に収められて構成され、
該パワーモジュール内において、前記第１インバーターを構成する前記スイッチング素子、及び前記第２インバーターを構成する前記スイッチング素子はそれぞれ並列に接続されている
ことを特徴とする請求項４記載のインバーター装置。  
【請求項７】
前記第１インバーターを構成する前記スイッチング素子は、ＩＧＢＴであり、
前記第２インバーターを構成する前記スイッチング素子は、ＭＯＳＦＥＴである
ことを特徴とする請求項１〜請求項６のいずれかに記載のインバーター装置。
【請求項８】
請求項１〜請求項７のいずれかに記載のインバーター装置と、
室内に冷却され、又は温められた空気を送り出す送風用ファンを有する室内ユニットと、
冷媒を圧縮する圧縮機と、前記冷媒と外気との熱交換を実施する熱交換器と、該熱交換器に外気を送り込むファンと、を有する室外ユニットと、
を備え、
前記インバーター装置は、前記送風用ファン、前記圧縮機、又は前記ファンのモーターを回転駆動させる
ことを特徴とする空気調和機。
【発明の詳細な説明】
【技術分野】
【０００１】
本発明は、交流電源を整流し電源の力率を改善しながら直流電圧を出力し、さらにその直流電圧がインバーターによって任意の電圧に変換されるインバーター装置及びそれを備えた空気調和機に関する。
【背景技術】
【０００２】
従来のインバーター装置として、全部のスイッチング素子をＩＧＢＴ又はＭＯＳＦＥＴのいずれかで構成しているものがある（例えば、特許文献１参照）。
また、ＩＧＢＴ及びＭＯＳＦＥＴの両方を用いているが、１つのスイッチング素子はＩＧＢＴ又はＭＯＳＦＥＴのいずれかで構成しているものがある（例えば、特許文献２参照）。
【先行技術文献】
【特許文献】
【０００３】
【特許文献１】特開２０００−１７５４７６号公報（第１図）
【特許文献２】特開２００７−７４８５８号公報（第１図）
【発明の概要】
【発明が解決しようとする課題】
【０００４】
従来のインバーター装置は、そのスイッチング素子がＩＧＢＴで構成されている場合、出力の負荷が小さいときにＩＧＢＴの損失がＭＯＳＦＥＴで構成した場合よりも大きく、また、スイッチング素子がＭＯＳＦＥＴで構成されている場合は、出力の負荷が大きいときにＭＯＳＦＥＴの損失がＩＧＢＴで構成した場合よりも大きい等の問題点があった。
【０００５】
本発明は、上記のよう課題を解決するためになされたもので、出力が軽負荷のときでも高負荷のときでも、高効率で運転することができるインバーター装置及びそれを備えた空気調和機を得ることを目的とする。
【課題を解決するための手段】
【０００６】
本発明に係るインバーター装置は、交流電源から出力される交流電圧を直流電圧に整流する整流手段と、該整流手段によって整流された直流電圧を平滑する平滑手段と、スイッチング素子によって構成され、前記平滑手段によって平滑された直流電圧を高周波電圧に変換して、該高周波電圧をモーターに供給する第１インバーターと、スイッチング素子によって構成され、前記第１インバーターに並列に接続され、前記平滑手段によって平滑された直流電圧を高周波電圧に変換して、該高周波電圧を前記モーターに供給する第２インバーターと、前記スイッチング素子のオン／オフ動作をさせるためのＰＷＭ信号を生成する制御回路と、を備え、前記第１インバーターを構成する前記スイッチング素子、及び前記第２インバーターを構成する前記スイッチング素子は、前記モーターに流れる電流によってそれぞれの飽和電圧が異なり、前記制御回路は、前記ＰＷＭ信号に基づいて前記スイッチング素子のオン／オフ動作させる駆動回路を有することを特徴とする。
【発明の効果】
【０００７】
本発明によれば、モーターに流れる電流によって飽和電圧の小さいスイッチング素子の方に多くの電流が流れるので、スイッチング素子における発生損失を減少させることができ、モーターのどのような運転状態においても省エネルギーで運転させることができる。
【図面の簡単な説明】
【０００８】
【図１】本発明の実施の形態１に係るインバーター装置の回路図である。
【図２】本発明の実施の形態２に係るインバーター装置の回路図である。
【図３】本発明の実施の形態３に係るインバーター装置の回路図である。
【図４】本発明の実施の形態４に係るパワーモジュール１８の回路図である。
【図５】本発明の実施の形態４に係るパワーモジュール１８の外観図である。
【図６】本発明の実施の形態５に係る空気調和機の室外ユニットの構成外略図である。
【発明を実施するための形態】
【０００９】
実施の形態１．
（インバーター装置の構成）
図１は、本発明の実施の形態１に係るインバーター装置の回路図である。
図１で示されるように、交流電源１は整流手段２に接続されており、この整流手段２は、ダイオード２ａ〜２ｄによって構成され、ダイオードブリッジを構成している。この整流手段２の出力正極側には、リアクトル３が接続されており、このリアクトル３の他端と、整流手段２の出力負極側との間には平滑コンデンサー４が接続されている。
なお、図１で示されるように交流電源１は単相のものとしているが、これに限定されるものではなく、交流電源１は三相であってもよく、この場合、整流手段２も三相の交流電圧を整流するものとすればよい。
【００１０】
平滑コンデンサー４の正極側と負極側との間には、直列接続された３組のスイッチング素子であるＩＧＢＴ（６ａ、６ｄ）、ＩＧＢＴ（６ｂ、６ｅ）、及びＩＧＢＴ（６ｃ、６ｆ）が接続されており、また、このＩＧＢＴ６ａ〜６ｆにはそれぞれ並列にフライホイールダイオードとしての役割をするダイオード７ａ〜７ｆが接続されている。この３組のスイッチング素子であるＩＧＢＴ（６ａ、６ｄ）、ＩＧＢＴ（６ｂ、６ｅ）、及びＩＧＢＴ（６ｃ、６ｆ）の各接続点は３相モーターであるモーター１０に接続されている。また、上記ＩＧＢＴ６ａ〜６ｆ、及びダイオード７ａ〜７ｆによって３相のインバーター回路である第１インバーター６が構成されている。
【００１１】
また、同様に、平滑コンデンサー４の正極側と負極側との間には、直列接続された３組のスイッチング素子であるＭＯＳＦＥＴ（８ａ、８ｄ）、ＭＯＳＦＥＴ（８ｂ、８ｅ）、及びＭＯＳＦＥＴ（８ｃ、８ｆ）が接続されており、また、このＭＯＳＦＥＴ８ａ〜８ｆにはそれぞれ並列にフライホイールダイオードとしての役割をするダイオード９ａ〜９ｆが接続されている。この３組のスイッチング素子であるＭＯＳＦＥＴ（８ａ、８ｄ）、ＭＯＳＦＥＴ（８ｂ、８ｅ）、及びＭＯＳＦＥＴ（８ｃ、８ｆ）の各接続点はモーター１０に接続されている。また、上記ＭＯＳＦＥＴ８ａ〜８ｆ、及びダイオード９ａ〜９ｆによって３相のインバーター回路である第２インバーター８が構成されている。すなわち、第１インバーター６及び第２インバーター８は並列に接続されている。
【００１２】
平滑コンデンサー４の負極側と、第１インバーター６及び第２インバーター８の入力負極側との間には、抵抗５が接続されており、スイッチング素子であるＩＧＢＴ６ａ〜６ｆ、及びＭＯＳＦＥＴ８ａ〜８ｆを過電流から保護する。また、第１インバーター６及び第２インバーター８と、モーター１０との接続線には、モーター１０の電流を検出する電流検出手段１１が接続されている。
【００１３】
制御回路１５は、少なくとも、第１駆動回路１２、第２駆動回路１３、及び演算部１４を備えている。このうち、第１駆動回路１２は第１インバーター６におけるＩＧＢＴ６ａ〜６ｆに接続されており、また、第２駆動回路１３は第２インバーター８におけるＭＯＳＦＥＴ８ａ〜８ｆに接続されている。また、演算部１４は、モーター１０の電流を受信するために電流検出手段１１に接続されており、ＰＷＭ信号を送信するため、第１駆動回路１２及び第２駆動回路１３それぞれに接続されている。
【００１４】
以上のように、少なくとも、上記の整流手段２、リアクトル３、平滑コンデンサー４、抵抗５、第１インバーター６、第２インバーター８、電流検出手段１１、及び制御回路１５によって本実施の形態に係るインバーター装置３１が構成されている。
【００１５】
（インバーター装置の動作）
次に図１を参照しながら、インバーター装置３１に動作について説明する。
交流電源１が供給する交流電圧は、整流手段２によって全波整流され直流電圧となり、この直流電圧はリアクトル３を介して、平滑コンデンサー４によって平滑される。この平滑された直流電圧は、第１インバーター６及び第２インバーター８に印加される。
【００１６】
制御回路１５における演算部１４は、モーター１０へ所望の交流電圧を印加させるためのＰＷＭ信号を生成し、そのＰＷＭ信号を第１駆動回路１２及び第２駆動回路１３に送信する。第１駆動回路１２は、このＰＷＭ信号に基づいて、第１インバーター６におけるＩＧＢＴ６ａ〜６ｆをオン／オフ動作させる。また、第２駆動回路１３は、このＰＷＭ信号に基づいて、第２インバーター８におけるＭＯＳＦＥＴ８ａ〜８ｆをオン／オフ動作させる。第１インバーター６及び第２インバーター８に供給される直流電圧は、第１インバーター６におけるＩＧＢＴ６ａ〜６ｆ、及び第２インバーター８におけるＭＯＳＦＥＴ８ａ〜８ｆのオン／オフ動作によって高周波電圧に変換され、その高周波電圧がモーター１０に供給され回転駆動させる。
【００１７】
上記のように構成されたインバーター装置３１において、選定するＩＧＢＴ６ａ〜６ｆとＭＯＳＦＥＴ８ａ〜８ｆとの特性の違いから、モーター１０に流れるモーター電流が、所定の電流値より小さい場合はＭＯＳＦＥＴ８ａ〜８ｆの方がＩＧＢＴ６ａ〜６ｆよりも飽和電圧が小さくなり、所定の電流値より大きい場合はＩＧＢＴ６ａ〜６ｆの方がＭＯＳＦＥＴ８ａ〜８ｆよりも飽和電圧が小さくなる。
【００１８】
このとき、モーター１０の回転数が低速の場合は、負荷が小さく、モーター１０に流れる電流も小さい。この運転状態のときは、ＩＧＢＴ６ａ〜６ｆよりも飽和電圧の小さいＭＯＳＦＥＴ８ａ〜８ｆの方に多くの電流が流れ、スイッチング素子がＩＧＢＴのみで構成された場合よりも、スイッチング素子での発生損失が減少する。
【００１９】
一方、モーター１０の回転数が高速の場合は、負荷が大きく、モーター１０に流れる電流も大きい。この運転状態のときは、ＭＯＳＦＥＴ８ａ〜８ｆよりも飽和電圧が小さいＩＧＢＴ６ａ〜６ｆの方に多くの電流が流れ、スイッチング素子がＭＯＳＦＥＴのみで構成された場合よりも、スイッチング素子での発生損失が減少する。
【００２０】
（実施の形態１の効果）
以上の構成及び動作によって、モーター１０に流れる電流によって飽和電圧の小さいスイッチング素子の方に多くの電流が流れるので、スイッチング素子における発生損失を減少させることができ、モーター１０のどのような運転状態においても省エネルギーで運転させることができる。
【００２１】
なお、上記のように、本実施の形態において、第１インバーター６を構成するスイッチング素子としてＩＧＢＴ６ａ〜６ｆ、そして、第２インバーター８を構成するスイッチング素子としてＭＯＳＦＥＴ８ａ〜８ｆを適用しているが、これに限定されるものではなく、パワートランジスター又はサイリスタその他のスイッチング素子を適用するものとしてもよく、第１インバーター６及び第２インバーター８それぞれに飽和電圧等の特性が異なるスイッチング素子を適用すれば、上記と同様の効果を得ることができる。
【００２２】
実施の形態２．
本実施の形態に係るインバーター装置について、実施の形態１に係るインバーター装置の構成及び動作と相違する点を中心に説明する。
【００２３】
（インバーター装置の構成）
図２は、本発明の実施の形態２に係るインバーター装置の回路図である。
図２で示されるように、本実施の形態に係るインバーター装置３１において、制御回路１５における演算部１４は、第１駆動回路１２及び第２駆動回路１３へそれぞれ別々に接続されている。すなわち、演算部１４は、第１駆動回路１２及び第２駆動回路１３に、それぞれ独立したＰＷＭ信号を送信する。その他の構成は、実施の形態１に係るインバーター装置３１と同様である。
【００２４】
（インバーター装置の動作）
制御回路１５の演算部１４は、電流検出手段１１によって検出されたモーター１０のモーター電流に基づいて、モーター１０の回転数の高低を判断する。
【００２５】
このとき、演算部１４は、電流検出手段１１によって検出されたモーター電流が所定電流よりも高いと判定し、モーター１０の回転数が高いと判断した場合は、第１駆動回路１２のみにＰＷＭ信号を送信する。第１駆動回路１２は、このＰＷＭ信号に基づいて、ＩＧＢＴ６ａ〜６ｆをオン／オフ動作させ、このＩＧＢＴ６ａ〜６ｆを介してモーター１０にモーター電流が流れ、モーター１０が回転駆動する。
【００２６】
一方、演算部１４は、電流検出手段１１によって検出されたモーター電流が所定電流よりも低いと判定し、モーター１０の回転数が低いと判断した場合は、第２駆動回路１３のみにＰＷＭ信号を送信する。第２駆動回路１３は、このＰＷＭ信号に基づいて、ＭＯＳＦＥＴ８ａ〜８ｆをオン／オフ動作させ、このＭＯＳＦＥＴ８ａ〜８ｆを介してモーター１０にモーター電流が流れ、モーター１０が回転駆動する。
【００２７】
（実施の形態２の効果）
以上のような構成及び動作のように、演算部１４が、モーター１０の回転数の高低によって、第１駆動回路１２又は第２駆動回路１３のいずれか一方にＰＷＭ信号を送信し、モーター１０を回転駆動させているので、常時、飽和電圧の低いスイッチング素子に電流が流れることになり、実施の形態１におけるインバーター装置よりもさらに、スイッチング素子における発生損失を減少させることができ、省エネルギーで運転させることができる。
【００２８】
実施の形態３．
本実施の形態に係るインバーター装置について、実施の形態１に係るインバーター装置の構成及び動作と相違する点を中心に説明する。
【００２９】
（インバーター装置の構成）
図３は、本発明の実施の形態３に係るインバーター装置の回路図である。
図３で示されるように、本実施の形態に係るインバーター装置３１における制御回路１５は、さらに、信号切替手段１６を備えている。この信号切替手段１６は、演算部１４からＰＷＭ信号を受信するために演算部１４に接続されており、さらに、第１駆動回路１２及び第２駆動回路１３へそれぞれ別々に接続されている。さらに、信号切替手段１６は、第１駆動回路１２及び第２駆動回路１３のいずれか一方にＰＷＭ信号を送信するための信号を受信するため、演算部１４にＰＷＭ信号の受信線とは別の信号線によって接続されている。その他の構成は、実施の形態１に係るインバーター装置３１と同様である。
【００３０】
（インバーター装置の動作）
制御回路１５の演算部１４は、電流検出手段１１によって検出されたモーター１０のモーター電流に基づいて、モーター１０の回転数の高低を判断する。
【００３１】
このとき、演算部１４は、電流検出手段１１によって検出されたモーター電流が所定電流よりも高いと判定し、モーター１０の回転数が高いと判断した場合は、信号切替手段１６に第１駆動回路１２のみにＰＷＭ信号を送信するように制御するための切替信号を送信する。この切替信号を受信した信号切替手段１６は、演算部１４から受信したＰＷＭ信号を第１駆動回路１２のみに送信する。第１駆動回路１２は、このＰＷＭ信号に基づいて、ＩＧＢＴ６ａ〜６ｆをオン／オフ動作させ、このＩＧＢＴ６ａ〜６ｆを介してモーター１０にモーター電流が流れ、モーター１０が回転駆動する。
【００３２】
一方、演算部１４は、電流検出手段１１によって検出されたモーター電流が所定電流よりも低いと判定し、モーター１０の回転数が低いと判定した場合は、信号切替手段１６に第２駆動回路１３のみにＰＷＭ信号を送信するように制御するための切替信号を送信する。この切替信号を受信した信号切替手段１６は、演算部１４から受信したＰＷＭ信号を第２駆動回路１３のみに送信する。第２駆動回路１３は、このＰＷＭ信号に基づいて、ＭＯＳＦＥＴ８ａ〜８ｆをオン／オフ動作させ、このＭＯＳＦＥＴ８ａ〜８ｆを介してモーター１０にモーター電流が流れ、モーター１０が回転駆動する。
【００３３】
（実施の形態３の効果）
実施の形態２における制御回路１５の演算部１４は、モーター１０を駆動させるためのＰＷＭ信号を送信するための送信線を２組持たなければならなかったが、上記のような構成及び動作のように、ＰＷＭ信号を第１駆動回路１２及び第２駆動回路１３のいずれか一方に送信するように切り替えられる手段を有しているので、演算部１４はＰＷＭ信号を送信するための１組の送信線によってＩＧＢＴ６ａ〜６ｆ又はＭＯＳＦＥＴ８ａ〜８ｆのいずれか一方を駆動できるため、演算部を安価な構成にすることができる。
【００３４】
実施の形態４．
（パワーモジュール１８の構成）
図４は本発明の実施の形態４に係るパワーモジュール１８の回路図であり、図５は同パワーモジュール１８の外観図である。
図４で示されるパワーモジュール１８は、図１〜図３で示されるＩＧＢＴ６ａ〜６ｆ、ＭＯＳＦＥＴ８ａ〜８ｆ、並びに、それらに並列に接続されたダイオード７ａ〜７ｆ及びダイオード９ａ〜９ｆを共通にしてダイオード７ａ〜７ｆとし、これらの３素子を並列に接続し、駆動回路１７と共に１つのパッケージ内に収めた構成としている。
【００３５】
（パワーモジュール１８の動作）
駆動回路１７は、パワーモジュール１８の前段側（例えば、実施の形態１における演算部１４）からＰＷＭ信号を受信し、そのＰＷＭ信号に基づいて、実施の形態１と同様に、ＩＧＢＴ６ａ〜６ｆ及びＭＯＳＦＥＴ８ａ〜８ｆのオン／オフ動作を並列駆動させる。これによって、モーター１０に流れる電流によって飽和電圧の小さいスイッチング素子の方に多くの電流が流れるので、スイッチング素子における発生損失を減少させることができ、モーター１０のどのような運転状態においても省エネルギーで運転させることができる。
【００３６】
なお、パワーモジュール１８の動作は、上記で示したものに限定するものではなく、例えば、駆動回路１７は、実施の形態３における信号切替手段１６に相当する手段を内蔵しているものとしてもよい。この場合、駆動回路１７は、パワーモジュール１８の前段側（例えば、実施の形態１における演算部１４）からＰＷＭ信号を受信するとともに、ＩＧＢＴ６ａ〜６ｆのみを駆動させるのか、ＭＯＳＦＥＴ８ａ〜８ｆのみを駆動させるのかを決定付ける切替信号を受信し、この切替信号に基づいて、ＩＧＢＴ６ａ〜６ｆ、又はＭＯＳＦＥＴ８ａ〜８ｆをオン／オフ動作させる。
【００３７】
（実施の形態４の効果）
以上のようなパワーモジュール１８は、ＩＧＢＴ６ａ〜６ｆ、ＭＯＳＦＥＴ８ａ〜８ｆ、及びダイオード７ａ〜７ｆを１つのパッケージに収める構成としているので、このパワーモジュール１８を搭載するインバーター装置を省スペースで構成することができる。
また、このような省スペース化されたインバーター装置によって、空気調和機等においける構造的な制約を軽減することができ、安価に作成することが可能となる。
【００３８】
実施の形態５．
（室外ユニットの構成）
図６は、本発明の実施の形態５に係る空気調和機の室外ユニットの構成外略図である。
図６において、空気調和機における室外ユニット３２は、少なくとも、実施の形態１〜実施の形態３に係るインバーター装置３１、室外熱交換器（図示せず）と外気との熱交換を促進するためのファン３３、及び、空気調和機内の冷媒回路（図示せず）に圧縮した冷媒を循環させる圧縮機３４を備えている。
【００３９】
インバーター装置３１は、室外ユニット３０内の上部に設置されており、圧縮機３４内のモーターの回転動作を制御する。
なお、インバーター装置３１は、圧縮機３４内のモーターの回転動作の制御に使用されることに限定されるものではなく、例えば、ファン３３、又は室内ユニット（図示せず）における送風用ファン（図示せず）のモーターの回転動作を制御するものとしてもよい。
【００４０】
（実施の形態５の効果）
以上の構成によれば、実施の形態１〜実施の形態３のいずれかのインバーター装置３１を、本実施の形態に係る空気調和機において、室外ユニット３２の圧縮機３４、もしくはファン３３、又は室内ユニットの送風用ファンのモーターの回転駆動の制御に適用することができ、空気調和機の消費電力を低減し、省エネルギー運転を実施することができる。
【００４１】
なお、インバーター装置３１は、実施の形態４に係るパワーモジュール１８を備えるものとしてもよい。
【符号の説明】
【００４２】
１  交流電源、２  整流手段、２ａ〜２ｆ  ダイオード、３  リアクトル、４  平滑コンデンサー、５  抵抗、６  第１インバーター、６ａ〜６ｆ  ＩＧＢＴ、７ａ〜７ｆ  ダイオード、８  第２インバーター、８ａ〜８ｆ  ＭＯＳＦＥＴ、９ａ〜９ｆ  ダイオード、１０  モーター、１１  電流検出手段、１２  第１駆動回路、１３  第２駆動回路、１４  演算部、１５  制御回路、１６  信号切替手段、１７  駆動回路、１８  パワーモジュール、３０  室外ユニット、３１  インバーター装置、３２  室外ユニット、３３  ファン、３４  圧縮機。
【図１】
2011120330.tif 000003
【図２】
2011120330.tif 000004
【図３】
2011120330.tif 000005
【図４】
2011120330.tif 000006
【図５】
2011120330.tif 000007
【図６】
2011120330.tif 000008